(57)【要約】【課題】電子ペンによる手書き情報に付加される時刻の信頼性を向上可能な電子ペンシステムを提供すること。【解決手段】本発明に係る電子ペンシステムは、用紙２０と、電子ペン１０と、サーバ３０から構成され、電子ペン１０は用紙２０に記入した手書き情報７１を取得する手書き情報取得手段１４１と、取得された手書き情報７１をサーバ３０へ送信する送信手段１３３とを備え、サーバ３０は、送信された手書き情報７１を受信する受信手段３２と、受信手段３２が手書き情報７１を受信した場合に、標準時刻７４を取得する標準時刻取得手段３１１と、取得した標準時刻７４を送信された手書き情報７１に付加する付加手段３１４を備え、標準時刻を含めた電子ペン１０の入力情報に対して、タイムスタンプを付与することを特徴とするものである。【選択図】図２
2008242988.tif 000002
【特許請求の範囲】
【請求項１】
用紙と、当該用紙に文字又は図形を記入できる電子ペンと、当該電子ペンと通信可能に接続されたサーバから構成される電子ペンシステムであって、
前記電子ペンは
前記用紙に記入した手書き情報を取得する手書き情報取得手段と、
前記手書き情報取得手段により取得された手書き情報を前記サーバへ送信する送信手段
とを備え、
前記サーバは、
前記電子ペンにより送信された手書き情報を受信する受信手段と、
前記受信手段が手書き情報を受信した場合に、時刻配信局によって生成される標準時刻を取得する標準時刻取得手段と、
当該取得した標準時刻を前記電子ペンにより送信された手書き情報に付加する付加手段
を備えた電子ペンシステム。
【請求項２】
前記サーバは、
前記標準時刻が付加された手書き情報に対するタイムスタンプ要求をタイムスタンプ局へ送信し、前記標準時刻が付加された手書き情報に対するタイムスタンプを要求するタイムスタンプ要求手段と、
該要求に対して前記タイムスタンプ局から発行されるタイムスタンプトークンを受信するタイムスタンプトークン受信手段と
をさらに備えることを特徴とする請求項１記載の電子ペンシステム。
【請求項３】
前記電子ペンシステムは、前記電子ペンに内蔵されたバッテリを充電すると共に、前記サーバと前記電子ペンとの間を通信可能に接続する通信手段を内蔵した充電器とをさらに備え、
前記電子ペンは、
前記電子ペンへの充電が終了した時点において、前記充電器に備えた通信手段又は前記電子ペンに備えた通信手段を介して、前記サーバに内蔵された時計のサーバ時刻を取得して、該サーバ時刻を前記電子ペンに内蔵された時計の電子ペン時刻として設定する時刻同期手段
をさらに備えることを特徴とする請求項１又は２記載の電子ペンシステム。
【請求項４】
前記電子ペンシステムは、前記電子ペンに内蔵されたバッテリを充電すると共に、前記サーバと前記電子ペンとの間を通信可能に接続する通信手段を内蔵した充電器とをさらに備え、
前記サーバは、
前記電子ペンへの充電が終了した時点において、前記充電器に備えた通信手段又は前記電子ペンに備えた通信手段を介して、該サーバ時刻を前記電子ペンに内蔵された時計の電子ペン時刻として設定する時刻同期手段
をさらに備えることを特徴とする請求項１又は２記載の電子ペンシステム。
【請求項５】
前記サーバは、
前記タイムスタンプが付加された前記手書き情報をレイヤとして格納する記憶手段と、
前記記憶手段に格納された複数の前記レイヤを重ねて表示する表示手段をさらに備える
ことを特徴とする請求項１乃至４記載の電子ペンシステム。
【発明の詳細な説明】
【技術分野】
【０００１】
本発明は、電子ペンシステムに関するものであり、特に電子ペンにより取得された手書き情報の時刻情報を保証する電子ペンシステムに関する。
【背景技術】
【０００２】
近年、手書き情報を電子ペンにより取得する種々の技術が提案されている。例えば特許文献１には、Ａｎｏｔｏ（登録商標）方式に基づいた電子ペンが開示されている。
この文献に開示された電子ペンは時計を内蔵し、電子ペンにより記入が行われた時刻を内蔵時計によって取得することができる。
これにより、電子ペンにより記入された手書き情報に対して、手書き情報の記入が行われた時刻を併せて記憶しておくことができる。
このように、電子ペンに内蔵された時計により得られた時刻情報を記憶しておくことで、手書き情報が記入された時刻を特定することができ、例えば、時刻を検索キーとして、特定の期間に記入した手書き情報を検索することが可能となる。
【０００３】
しかしながら、電子ペンに内蔵された時計を用いた方式には以下の問題がある。
まず、第一の問題として、電子ペンの内蔵時計は常に正確な時刻を保持しているとは限らず、標準時刻との間で誤差が発生するという問題がある。
【０００４】
そして、第二の問題として、バッテリの消耗などの電源条件の悪化により電子ペンの内蔵時計の機能が停止し、標準時刻との間でずれが拡大するという問題がある。電子ペンの内蔵時計の時刻は、バッテリの消耗などにより計時を停止し、内蔵時計の機能が停止している間中、標準時刻との間でずれが拡大してゆく。このため、バッテリの充電終了後には、電子ペンの内蔵時計の機能が回復したとしても、電子ペンの内蔵時計の時刻は標準時刻に対してずれたままのものとなる。
【０００５】
また、第三の問題として、電子ペンの内蔵時計の時刻は故意に変更することができ、時刻の信頼度が不十分であるという問題があった。
【０００６】
このように、電子ペンの内蔵時計の時刻は誤差やずれを含み、更には故意の変更が可能であることから、その信頼性が低いものである。
このため、このような信頼性が低い電子ペンの内蔵時計の時刻は、手書き情報の記入時刻を特定するためには不十分なものであり、当該時刻が付加された手書き情報が、確かにその時刻にその手書き情報が存在したことを証明することができないものであった。
【０００７】
他方、従来より、このような問題に対しては、例えば時刻合わせを実施することで対応してきた。電子ペンの内蔵時計の誤差については、例えば所定の間隔で時刻合わせを実施したり、バッテリの消耗による停止については、例えばバッテリ充電後に時刻合わせを実施するなどして対応してきた。
ここで、電子ペンの内蔵時計の時刻合わせは、例えば電子ペンと通信可能に接続されたパーソナルコンピュータ（ＰＣ）の内蔵時計の時刻を取得し、取得した時刻を電子ペンの内蔵時計の時刻として設定することで実施される。
【０００８】
しかしながら、このような時刻合わせのみでは、電子ペンの内蔵時計の時刻の信頼性を十分に向上させることはできないものである。例えば、標準時刻に対してＰＣの内蔵時計の時刻が誤差を含む場合には、ＰＣの内蔵時計から取得した時刻を用いても、標準時刻に対する電子ペンの内蔵時計の時刻の誤差を解消することはできないためである。
【０００９】
さらにまた、ＰＣの内蔵時計についても、同様に、内蔵時計の誤差及び故意による時刻の変更が可能であるという問題がある。
【００１０】
従って、ＰＣの内蔵時計に対する時刻合わせだけでは電子ペンの内蔵時計の時刻の信頼性を十分に向上させることはできず、このような信頼性が低い電子ペンの内蔵時計の時刻に基づいては、電子ペンにより記入された手書き情報が、確かにその時刻に存在したことを証明することができないものであった。
【００１１】
一方、特定の電子情報が、ある時刻から存在したこと、及びその時刻から検証した時刻までの間に故意に変更されていないことを証明する技術としてタイムスタンプが知られている。
【００１２】
タイムスタンプにより、電子ペンにより取得された手書き情報の時刻情報を保証することができるものの、実際に多くの可能性が想定される利用上の状況において、次の問題がある。
電子ペンにより記入された手書き情報にタイムスタンプを付与し、その後、同じページに修正・追記を実施したい場合が想定される。しかしながら、タイムスタンプが付与された手書き情報に対して修正・追記を実施した場合には、修正・追記した内容は故意による変更として扱われ、タイムスタンプの有効性が失われてしまうという問題がある。
【特許文献１】特開２００６−１５７５７号公報
【発明の開示】
【発明が解決しようとする課題】
【００１３】
上述のように、従来の電子ペンシステムでは、電子ペンの内蔵時計の時刻の信頼性が低く、当該時刻が付加された手書き情報は、確かにその時点にその内容が存在していたことを証明できないという問題点があった。
さらに、同じページに修正・追記を実施したい場合に、修正・追記を実施した各時点におけるタイムスタンプの有効性を失わずに、同じページに対して修正・追記を実施することができる機能が望まれていた。
【００１４】
本発明は、このような問題点を解決するためになされたもので、電子ペンにより記入された手書き情報に付加される時刻の信頼性を向上させることのできる電子ペンシステムを提供することを第一の目的とする。
また、本発明は、当該時刻が付加された手書き情報が、確かにその時点にその内容が存在していたことを客観的に証明することができる電子ペンシステムを提供することを第二の目的とする。
さらに、本発明は、修正・追記を実施した各時点におけるタイムスタンプの有効性を失わずに、同じページに対して修正・追記を実施することができる電子ペンシステムを提供することを第三の目的とする。
【課題を解決するための手段】
【００１５】
本発明に係る電子ペンシステムは、用紙と、当該用紙に文字又は図形を記入できる電子ペンと、当該電子ペンと通信可能に接続されたサーバから構成される電子ペンシステムであって、前記電子ペンは前記用紙に記入した手書き情報を取得する手書き情報取得手段と、前記手書き情報取得手段により取得された手書き情報を前記サーバへ送信する送信手段とを備え、前記サーバは、前記電子ペンにより送信された手書き情報を受信する受信手段と、前記受信手段が手書き情報を受信した場合に、時刻配信局によって生成される標準時刻を取得する標準時刻取得手段と、当該取得した標準時刻を前記電子ペンにより送信された手書き情報に付加する付加手段を備えるものである。
【００１６】
これにより、サーバは、電子ペンにより記入された手書き情報に対して、手書き情報を受信したときの標準時刻を付加することができる。
すなわち、誤差を含む電子ペンの内蔵時計の時刻に加えて、当該手書き情報を受信したときの標準時刻を付加することで、電子ペンにより記入された手書き情報に付加される時刻の信頼性を向上させることができる。
【００１７】
本発明に係る電子ペンシステムにおける、前記サーバは、前記標準時刻が付加された手書き情報に対するタイムスタンプ要求をタイムスタンプ局へ送信し、前記標準時刻が付加された手書き情報に対するタイムスタンプを要求するタイムスタンプ要求手段と、該要求に対して前記タイムスタンプ局から発行されるタイムスタンプトークンを受信するタイムスタンプトークン受信手段をさらに備えるようにしてもよい。
【００１８】
これにより、サーバは、標準時刻が付加された手書き情報に対するタイムスタンプを付与することができる。
すなわち、タイムスタンプ局がタイムスタンプ要求を受信した受信時刻において、標準時刻が付加された手書き情報が確かに存在していたことを証明することができる。
従って、手書き情報が、手書き情報に付加された標準時刻において存在していたことを特定することができる。さらには、電子ペンによる手書き情報の記入時刻が故意に変更されずにサーバへと送信された場合には、電子ペンの内蔵時計の誤差の範囲において、手書き情報が確かにその記入時刻に存在していたことを特定することができる。
このように、サーバは、電子ペンにより記入された手書き情報に付加される時刻の信頼性を向上させることができると共に、当該時刻が付加された手書き情報が、確かにその時点にその内容が存在していたことを客観的に証明することができる。
【００１９】
前記電子ペンシステムは、前記電子ペンに内蔵されたバッテリを充電すると共に、前記サーバと前記電子ペンとの間を通信可能に接続する通信手段を内蔵した充電器とをさらに備え、前記電子ペンは、前記電子ペンへの充電が終了した時点において、前記充電器に備えた通信手段又は前記電子ペンに備えた通信手段を介して、前記サーバに内蔵された時計のサーバ時刻を取得して、該サーバ時刻を前記電子ペンに内蔵された時計の電子ペン時刻として設定する時刻同期手段をさらに備えるようにしてもよい。
【００２０】
これにより、電子ペンは、電子ペンへの充電が終了した時点において、充電器に備えた通信手段又は電子ペンに備えた通信手段を介して、サーバに内蔵された時計のサーバ時刻を取得して、該サーバ時刻を電子ペンに内蔵された時計の電子ペン時刻として設定することができ、自動的に時刻補正を行うことができる。
【００２１】
前記電子ペンシステムは、前記電子ペンに内蔵されたバッテリを充電すると共に、前記サーバと前記電子ペンとの間を通信可能に接続する通信手段を内蔵した充電器とをさらに備え、前記サーバは、前記電子ペンへの充電が終了した時点において、前記充電器に備えた通信手段又は前記電子ペンに備えた通信手段を介して、該サーバ時刻を前記電子ペンに内蔵された時計の電子ペン時刻として設定する時刻同期手段をさらに備えるようにしてもよい。
【００２２】
これにより、サーバは、電子ペンへの充電が終了した時点において、充電器に備えた通信手段又は電子ペンに備えた通信手段を介して、サーバ時刻を電子ペンに内蔵された時計の電子ペン時刻として設定することができ、自動的に時刻補正を行うことができる。
【００２３】
前記サーバは、前記タイムスタンプが付与された前記手書き情報をレイヤとして格納する記憶手段と、前記記憶手段に格納された複数の前記レイヤを重ねて表示する表示手段をさらに備えるようにしてもよい。
【００２４】
これにより、サーバは、タイムスタンプが付与された手書き情報をレイヤとして格納し、格納された複数のレイヤを重ねて表示することができる。このため、例えば、複数のレイヤをまとめて一枚に表示させたり、所望のレイヤの内容だけを必要に応じて切替えて表示させたりすることができる。
従って、同じページに対して修正・追記を複数回実施しても、修正・追記を実施した各時点におけるタイムスタンプの有効性を失わずに、記入された手書き情報を取り扱うことができる。
【発明の効果】
【００２５】
本発明によれば、電子ペンの内蔵時計の時刻の信頼性を向上させ、当該時刻が付加された手書き情報が、確かにその時刻にその内容が存在していたことを証明できる電子ペンシステムを提供することができる。
さらに本発明によれば、修正・追記を実施した各時点におけるタイムスタンプの有効性を失わずに、記入された手書き情報を取り扱うことが可能な電子ペンシステムを提供することができる。
【発明を実施するための最良の形態】
【００２６】
発明の実施の形態１．
図１は、本発明の実施の形態１に係る電子ペンシステム１の全体構成を示す概略模式図である。当該電子ペンシステム１では、アノト社が開発したアノト方式に基づく電子ペン１０を用いている。
【００２７】
図１に示されるように、本発明の実施の形態１に係る電子ペンシステム１は、電子ペン１０と、充電器１１と、専用用紙２０と、サーバとしてのパーソナルコンピュータ（Personal Computer：以下、ＰＣと称する）３０と、標準時刻を配信する時刻配信局４０と、タイムスタンプ局５０と、これらの装置が接続される通信ネットワーク６０を備えている。
【００２８】
電子ペン１０とサーバ３０の間は、互いに通信できるように接続されている。
尚、電子ペン１０とサーバ３０の間に、さらに携帯電話機などの携帯端末（不図示）を設けてもよい。この場合は、電子ペン１０とサーバ３０の間は、携帯端末を介して、互いに通信できるように接続される。この場合、専用のアプリケーションプログラムが携帯端末にインストールされていてもよい。
【００２９】
充電器１１はサーバ３０に接続され、電子ペン１０に内蔵したバッテリに対して充電を行うと共に、内蔵した通信手段によりサーバ３０と電子ペン１０との間を通信可能に接続する。
尚、充電器の構成はこれに限定されず、例えば複数の電子ペンを同時に充電可能なものとして構成されていてもよい。また、このような場合には、充電器に内蔵される通信手段は、各電子ペン対して独立に通信可能な構成としてもよい。
【００３０】
時刻配信局４０はシステム外部の第三者機関により管理され、協定世界時又は日本標準時と同期した高精度の時刻源を持ち、信頼できる時刻情報（以下、標準時刻と称する）を生成し、サーバなどに配信する。
【００３１】
タイムスタンプ局５０はシステム外部の第三者機関により管理され、サーバ３０からのタイムスタンプ要求に応じて、タイムスタンプ要求を受信した受信時刻とタイムスタンプ要求とを結びつけたタイムスタンプトークンを生成し、タイムスタンプトークンをサーバ３０に送信する。すなわち、サーバ３０から送信された電子情報に対して、その存在時点及び内容の不変性を証明するタイムスタンプサービスを提供するものである。
【００３２】
通信ネットワーク６０は、公衆網、インターネット、ＩＳＤＮ（Integrated Services Digital Network）網などの有線網や通信用人工衛星を利用した無線網などの通信ネットワークで実現できる。
【００３３】
図２は、本発明の実施の形態１に係る電子ペンシステム１の概略構成を示すブロック図である。尚、図２では、電子ペン１０、時刻配信局４０、タイムスタンプ局５０の構成については主要な部分のみ示している。
【００３４】
図２に基づいて、サーバ３０の構成について具体的に説明する。
図２に示されるように、サーバ３０は、電子ペン１０、時刻配信局４０、タイムスタンプ局５０と通信可能に接続されている。サーバ３０は、アプリケーション部３１と、通信部３２と、表示手段３４とを備えている。アプリケーション部３１は、通信部３２が電子ペン１０から手書き情報などを受信すると起動されて、所定の処理を開始する。
【００３５】
アプリケーション部３１は、時刻配信局４０より標準時刻を取得する標準時刻取得手段３１１と、タイムスタンプ局５０に対してタイムスタンプを要求するタイムスタンプ要求手段３１２と、記憶手段３１３と、制御部３１４とを備えている。
【００３６】
標準時刻取得手段３１１は、通信ネットワーク６０を介して時刻配信局４０へとアクセスし、標準時刻を取得する。制御部３１４は、取得した標準時刻を手書き情報に付加して記憶手段３１３に格納する。
尚、標準時刻を取得する手段は特に限定されない。例えば、ネットワークタイムプロトコル（ＮＴＰ）により標準時刻を取得する。
また、制御部３１４は、取得した標準時刻をサーバ時刻として時刻校正する。時刻校正により、サーバ３０に内蔵された時計は、時刻配信局４０の標準時刻に同期する。
【００３７】
タイムスタンプ要求手段３１２は、タイムスタンプ対象の電子情報のダイジェストを計算し、ダイジェストを通信ネットワーク６０を介してタイムスタンプ局５０へ送信し、当該電子情報についてタイムスタンプを要求する。
【００３８】
ここで、ダイジェストとは、電子情報よりも情報量が少ないが電子情報の特徴的なパタンを表した値であり、メッセージ・ダイジェストとも呼ばれる。例えば、電子情報からハッシュ関数などの不可逆な一方向関数により生成されるハッシュ値である。同一のデータからは同一の一方向関数値が得られるが、一方向関数値から元のデータを再現することはできない。
【００３９】
一方、当該ダイジェストを受信したタイムスタンプ局５０は、ダイジェストの受信時刻と、受信したダイジェストにタイムスタンプ局５０が保有する秘密鍵で暗号化した署名を付してタイムスタンプトークンを生成し、サーバ３０へ通信ネットワーク６０を介して返信する。
そして、タイムスタンプトークンを受信したサーバ３０の制御部３１４は、タイムスタンプトークンをタイムスタンプ対象の電子情報に対応付けて記憶手段３１３に格納する。
【００４０】
ここで、タイムスタンプ局５０の時刻源としては信頼できる時刻源が用いられ、タイムスタンプ局５０により使用される時刻が時刻配信局４０が配信する標準時刻に同期されていることが好ましい。
【００４１】
その後、サーバ３０は、タイムスタンプが付与された電子情報を以下のようにして検証する。
まず、電子情報に対応付けて記憶されているタイムスタンプトークンをタイムスタンプ局５０の公開鍵で復号し、電子情報のダイジェストとダイジェストを受信した時刻を抽出する。
【００４２】
つぎに、電子情報のダイジェストを新たに計算して、その値とタイムスタンプトークンから抽出したダイジェストとを比較する。
比較の結果、両者が一致した場合には、電子情報はタイムスタンプ実施以降なんら変更が加えられていないことが立証されるので、タイムスタンプは有効であり、タイムスタンプに記録されている受信時刻において電子情報が存在していたことが立証される。
すなわち、特定の電子情報について、「過去の特定時刻に存在していること、及びそれ以降データが変更されていないこと」を証明することができる。
【００４３】
尚、タイムスタンプトークンの検証の方法は、タイムスタンプトークンの作成方法に依存した方法を用いる必要がある。例えば、電子署名を含むタイムスタンプトークンであれば、この電子署名を検証することによりタイムスタンプトークンの検証を行う。また、リンクトークン方法で作成されたタイムスタンプトークンであれば、このタイムスタンプトークンに含まれているリンク情報の妥当性を検証することのできるタイムスタンプ発行元へとアクセスし、タイムスタンプトークンの妥当性を検証する必要がある。
【００４４】
記憶手段３１３には、通信部３２が受信した手書き情報に加えて、手書き情報に関する属性情報及びタイムスタンプ局５０より取得したタイムスタンプトークン７６が制御部３１４により格納されている。
図３（ａ）に示すように、手書き情報７１に関する属性情報とは、手書き情報７１を取得した電子ペン１０のＩＤ７２と、手書き情報７１を取得した時点における電子ペン１０の内蔵時計の時刻７３と、サーバ３０が時刻配信局４０から取得した標準時刻７４と、サーバ３０が時刻配信局４０から標準時刻７４を取得する直前におけるサーバ３０の内蔵時計の時刻７５とを含んでいる。
また、図３（ｂ）に、上述の手書き情報７１とその属性情報に対する、タイムスタンプ局５０により生成されるタイムスタンプトークン７６を示す。タイムスタンプトークン７６は、手書き情報７１とその属性情報に対するハッシュ値７６１と、タイムスタンプ局５０が当該ハッシュ値７６１を受信した受信時刻７６２とを含んでいる。
【００４５】
通信部３２は、電子ペン１０の通信部１３３から送信された手書き情報７１を受信すると共に、通信ネットワーク６０を介して時刻配信局４０及びタイムスタンプ局５０との間でデータをやり取りする。表示手段３４は、例えば、液晶表示装置などにより構成されている。表示手段３４は、電子ペン１０により取得した手書き情報７１を、タイムスタンプトークン７６などと併せて表示する。
【００４６】
図４に基づいて、電子ペン１０の構成について具体的に説明する。図４に示されるように、電子ペン１０は、インクリフィル１１１、筆圧センサ１１３、カメラ１１７、バッテリ１２１、制御部１２３、記憶手段１２５、情報処理モジュール１２７、クロック１２９、ＵＳＢ（Universal Serial Bus）１３１、無線通信処理部１３３、手書き情報取得手段１４１、時刻情報取得部１４３を備える。制御部１２３、記憶手段１２５、手書き情報取得手段１４１及び時刻情報取得部１４３は、情報処理モジュール１２７に含まれている。尚、電子ペン１０は、専用用紙２０に文字又は記号を記入できるものであればよく、ペン形状は任意の形状であっていい。
【００４７】
インクリフィル１１１は、通常の記入用ペンと同様に、紙にインクを転写することにより記入結果を記録するインクを保存するものである。このインクリフィル１１１にはポールペン式や万年筆式のものが用いられる。筆圧センサ１１３は、使用者が電子ペン１０により手書き入力を行っていることを検知したり筆圧を検知する手段であり、手書き入力中は筆圧を検知する。具体的には、筆圧センサ１１３が検知する力が一定値以上になったときに、筆圧センサ１１３が、電子ペン１０による手書き入力が開始されたことを検知する。その後、電子ペン１０のカメラ１１７により撮像された手書入力の手書き情報が制御部１２３の制御により記憶手段１２５に記憶される。
【００４８】
バッテリ１２１は、電子ペン１０の各部に電力を供給するための電力供給手段である。バッテリ１２１は、乾電池などの一次電池でもよいし、リチウムイオン電池などの二次電池でもよい。さらに、バッテリを搭載しないで、ＵＳＢなどのインターフェースを介して電力供給をしてもよい。ここでは、電子ペン１０のキャップ（不図示）を外したときに、電子ペン１０の電源が入り、電子ペン１０のキャップを装着したときに、電子ペン１０の電源が切れるように設定されている。但し、このような設定には限定されない。
【００４９】
制御部１２３は、電子ペン１０を制御するための制御手段である。記憶手段１２５は、電子ペン１０内のデータを記憶するための記憶手段である。電子ペン１０を用いて専用用紙２０に文字又は記号を記入すると、記憶手段１２５には電子ペン１０が読み取った手書き入力の手書き情報のアドレスデータ、時間情報、筆圧などが記憶される。記憶手段１２５には、例えば１ＭＢ程度の容量のものを用いている。
【００５０】
クロック１２９は、電子ペン１０に内蔵された時計であり、手書き入力が行われた時刻を取得するための時刻取得手段である。ＵＳＢ１３１は、電子ペン１０により記入が行われた手書き情報を接続した電子機器に転送するためのデータ送信手段である。通信部１３３は、無線通信手段を備えた他の電子機器に対して手書き入力の手書き情報を送信するためのデータ送信手段である。具体的には、通信部１３３は、送信手段として、後述の専用用紙２０のパタン２０５に基づいて、電子ペン１０により記入が行われた手書き情報をサーバ３０へ送信する。
【００５１】
無線通信手段は、Bluetooth（登録商標）による方式などが用いられるが特に限定されない。ＵＳＢ１３１と通信部１３３は、どちらか一方を備えていればもう一方が備えられていなくても本発明による電子ペンシステム１は動作可能である。すなわち、電子ペン１０がＵＳＢ１３１のみを備えている場合には、ＵＳＢ１３１が送信手段として、後述の専用用紙２０のパタン２０５に基づいて、電子ペン１０により記入が行われた手書き情報をサーバ３０へ送信する。このように通信手段をBluetooth（登録商標）方式やＵＳＢ方式に対応させたことにより、既存の通信手段を利用して、コストの削減をすることができる。
【００５２】
手書き情報取得手段１４１は、後述する専用用紙２０のドットパターンに基づいて、電子ペン１０により記入が行われた手書き情報７１を取得する。
【００５３】
時刻情報取得部１４３は、電子ペン１０により記入が行われた際の時刻情報７３をクロック１２９より取得する。そして、制御部１２３は、電子ペン１０が読み取った手書き情報７１に時刻情報７３を対応付けて記憶手段１２５に記憶する。
【００５４】
次に、専用用紙２０の構成について、図５に基づいて説明する。この専用用紙２０は、アノト方式の用紙である。
電子ペン１０により専用用紙２０に手書き入力を行うことで、記入が行われた手書き情報を連続した位置座標として取得することができる。
【００５５】
図５に示されるように、専用用紙２０には、一定の間隔の仮想的な格子２３の各交点２５に位置座標をドットの変位により符号化した点２４が印刷されている。点２４は、カメラ１１７により読取可能であれば、人間の眼により識別不可能な色で印刷されていてもよい。例えば、カメラ１１７が赤外線カメラである場合、用紙２０全体が赤外線を散乱し、点２４が赤外線を吸収するインクで印刷されていることにより点２４をカメラ１１７により読取可能である。
【００５６】
また、仮想的な格子２３の間隔は、短いほど解像度の高い画像を得ることができる。本実施例では、カメラ１１７の読み取り精度を考えると０．３ｍｍ程度が好ましい。また、この場合、点２４の直径は８０μｍから１２０μｍが好ましい。ただし、これらの値は特に制限されるものではない。
【００５７】
点２４は、仮想格子２３の交点２５から上下左右のいずれかの方向にずれた位置に印刷されている。この上下左右の４方向の情報は２ビットの情報とすることができる。つまり点２４は１つにつき２ビットの情報を持つことになり、６×６の３６個の交点２５とその上下左右に位置する点２４は６×６×２＝７２ビットの情報を持つことになる。
【００５８】
デジタルペン１０は毎秒５０回から１００回、カメラ１１７により専用用紙２０上に印刷された点２４の並びを検出し、検出した並びから専用用紙２０の手書き情報の座標を取得する。このようにしてデジタルペン１０は、使用者が手書き入力を行った際に専用用紙２０のどの位置に記入したかを記録することが可能となる。
【００５９】
全ての専用用紙２０には、符号空間上の特定の領域（エリア）が割り当てられている。専用用紙２０の左上位置にはピジェット２１と呼ばれる領域が設けられている。使用者が電子ペン１０によりピジェット２１をチェックすると、カメラ１１７は、ピジェット２１の位置情報を取得する。電子ペン１０は、ピジェット２１のパタン情報を取得するとページの更新を行うようにプログラムされており、手書き情報を画像データに変換する際にピジェット２１のチェック前の手書き情報と、チェック後の手書き情報は重なることなく別のページの画像データとして扱われる。
【００６０】
また、専用用紙２０の右下位置にはピジェット２２と呼ばれる領域が設けられている。使用者が電子ペン１０によりピジェット２２をチェックすると、カメラ１１７は、ピジェット２２のパタン情報を取得する。電子ペン１０は、ピジェット２２の位置情報を取得するとデータの送信を行うようにプログラムされており、ＵＳＢ１３１又は通信部１３３により接続されたサーバ３０に手書き情報の送信を行う。このようにして、使用者は電子ペン１０によりピジェット２２の領域をチェックすることにより電子ペン１０に格納された手書き情報などを接続されたサーバ３０に送信することが可能となる。
【００６１】
この他にも専用用紙２０は、点２４の配置により特殊なコードを配列することにより、様々な情報を入れることが可能となる。例えば、色を指定するピジェットを用意し、当該領域に色を指定する情報を入れておけば、ピジェットをチェックした後の手書き情報を指定した色の画像データに変換することも可能である。また、同様に太さを指定するピジェットを用意し、当該領域に太さを指定する情報を入れておけば、ピジェットをチェックした後の手書き情報を指定した太さの画像データに変換することも可能である。
【００６２】
続いて、図６に示すシーケンス図を用いて、本実施の形態１における電子ペンシステム１の処理の流れを説明する。
前提条件として、電子ペン１０はサーバ３０に手書き情報７１の送信が可能であり、サーバ３０は時刻配信局４０から標準時刻７４を取得することができると共に、タイムスタンプ局５０からタイムスタンプトークン７６を取得することができるものとする。
【００６３】
電子ペン１０の手書き情報取得手段１４１は、電子ペン１０により専用用紙２０に記入された手書き情報７１を取得する。電子ペン１０の時刻情報取得部１４３は、手書き情報が取得された時点の時刻７３を取得する。電子ペン１０の制御部１２３は、取得した電子ペン１０の内蔵時計の時刻７３を手書き情報７１の属性情報として手書き情報７１と共に記憶手段１２５に格納する（Ｓ１０１）。
尚、属性情報としてさらに電子ペン１０のＩＤ７２を含んでもよい。
【００６４】
使用者の記入が完了すると、電子ペン１０の通信部１３３は、記憶手段１２５に格納された手書き情報７１などをサーバ３０に送信する（Ｓ１０２）。あるいは、記入された手書き情報の座標位置を認識する毎に手書き情報７１などを通信部１３３によりサーバ３０に送信してもよい。
【００６５】
サーバ３０の通信部３２が電子ペン１０により記入された手書き情報７１などを受信すると、サーバ３０の制御部３１４は受信した手書き情報７１と、その属性情報とを合わせて記憶手段３１３に記憶する（Ｓ１０３）。このとき、手書き情報７１などをサーバ３０により分析が行いやすいように整理したり、データ量を減らすための圧縮処理を行ったりしてもよい。
【００６６】
そして、サーバ３０の標準時刻取得手段３１１は、通信ネットワーク６０を介して時刻配信局４０へとアクセスし、電子ペン１０からの情報の受信時刻として、時刻配信局４０によって生成される標準時刻７４を取得する（Ｓ１０４）。
尚、標準時刻７４を取得すると同時に、サーバ３０の制御部３１４は、取得した標準時刻７４をサーバ時刻として時刻校正する（Ｓ１０５）。時刻校正により、サーバ３０の内蔵された時計は、時刻配信局４０の標準時刻７４に同期する。
また、サーバ３０の制御部３１４は取得した標準時刻７４を記憶手段３１３に記憶された手書き情報７１の属性情報として記憶手段３１３に格納する（Ｓ１０６）。
尚、属性情報としてさらに、サーバ３０が時刻配信局４０から標準時刻７４を取得する直前におけるサーバ３０の内蔵時計の時刻７５を含んでいてもよい。
【００６７】
続いて、タイムスタンプ要求手段３１２は、記憶手段３１３に格納された属性情報付きの手書き情報７１について、タイムスタンプ局５０に対してタイムスタンプを要求する。すなわち、タイムスタンプ要求手段３１２は、手書き情報７１とその属性情報からなるデータのハッシュ値７６１を計算し（Ｓ１０７）、ハッシュ値７６１をタイムスタンプ局５０へ送信する（Ｓ１０８）。
【００６８】
タイムスタンプ局５０は、タイムスタンプ要求手段３１２による要求に対応して、ハッシュ値７６１を受信した受信時刻７６２とハッシュ値７６１とを結びつけ、タイムスタンプ局５０が保有する秘密鍵で暗号化して署名を施すことによりタイムスタンプトークン７６を生成する（Ｓ１０９）。タイムスタンプ局５０はタイムスタンプトークン７６を、通信ネットワーク６０を介してサーバ３０へ送信する（Ｓ１１０）。
サーバ３０の通信部３２は、署名済みのタイムスタンプトークン７６をタイムスタンプ局５０より受信し、サーバ３０の制御部３１４は、当該タイムスタンプトークン７６を手書き情報７１に対応付けて記憶手段３１３に格納する（Ｓ１１１）。
【００６９】
尚、タイムスタンプ局５０へのアクセスは、サーバ３０の通信部３２が電子ペン１０により記入された手書き情報７１を受信した場合に実行するように構成してもよいし、例えば、図５に示すように専用用紙２０の左下にピジェット２６としてアイコン「ＴＳ」を設け、ピジェット２６がチェックされたときにタイムスタンプ局５０に対してタイムスタンプ要求を実行するように構成してもよい。
【００７０】
サーバ３０の表示手段１２３は、サーバ３０の記憶手段３１３に記憶された手書き情報７１とタイムスタンプトークン７６を合わせて表示する（Ｓ１１２）。これにより、電子ペン１０により記入された手書き情報７１について、タイムスタンプにより、その時刻とその内容が保証されていることを知ることができる。
【００７１】
図７は、図３において説明した手書き情報７１に対して、その属性情報７２乃至７５及びタイムスタンプトークン７６を対応付けた処理プロセスを示している。
【００７２】
データＡ１（４０１）には、手書き情報７１と、その属性情報として手書き情報７１を取得した電子ペン１０のＩＤ７２と、手書き情報７１を取得した時点における電子ペン１０の内蔵時計の時刻７３とが含まれている。
そして、サーバ３０は、データＡ１を受信した場合に、時刻配信局４０から標準時刻データＴ１（４０２）を取得する。ここで、標準時刻データに含まれる時刻Ｔ１は、サーバ３０が電子ペン１０からデータＡ１を受信したときの受信時刻を示す。
さらに続いて、サーバ３０は、タイムスタンプ局５０からタイムスタンプトークンＳ１（４０３）を取得する。ここで、タイムスタンプトークンＳ１（４０３）は、データＡ１及び標準時刻データＴ１（４０２）からなるタイムスタンプ要求に対して求められたものであり、タイムスタンプ局５０がサーバ３０からタイムスタンプ要求を受信したときの受信時刻を含む。
結果、データＡ２（４０４）には、データＡ１（４０１）に加えて、手書き情報７１の属性情報として、さらに標準時刻データＴ１（４０２）及びサーバ３０が時刻配信局４０から標準時刻データＴ１（４０２）を取得した直前におけるサーバ３０の内蔵時計の時刻７５とが付加され、あわせて、タイムスタンプトークンＳ１（４０３）とが含まれる。
【００７３】
続いて、電子ペン１０により新しい手書き情報７１が取得されると、データＢ１（４０５）には、手書き情報７１と、その属性情報として手書き情報７１を取得した電子ペン１０のＩＤ７２と、手書き情報７１を取得した時点における電子ペン１０の内蔵時計の時刻７３とが含まれている。
そして、サーバ３０は、データＢ１を受信した場合に、時刻配信局４０から標準時刻データＴ２（４０６）を取得する。ここで、標準時刻データに含まれる時刻Ｔ２は、サーバ３０が電子ペン１０からデータＢ１を受信したときの受信時刻を示す。
さらに続いて、タイムスタンプ局５０からタイムスタンプトークンＳ２（４０７）を取得する。ここで、タイムスタンプトークンＳ２（４０６）は、データＢ１及び標準時刻データＴ２（４０６）からなるタイムスタンプ要求に対して求められたものであり、タイムスタンプ局５０がサーバ３０からタイムスタンプ要求を受信したときの受信時刻を含む。
結果、データＢ２（４０８）には、データＢ１（４０５）に加えて、手書き情報７１の属性情報として、さらに標準時刻データＴ２（４０６）及びサーバ３０が時刻配信局４０から標準時刻データＴ２（４０６）を取得した直前におけるサーバ３０の内蔵時計の時刻７５とが付加され、あわせて、タイムスタンプトークンＳ２（４０７）とが含まれている。
【００７４】
尚、時刻配信局４０より取得する標準時刻Ｔ１、及びタイムスタンプトークンＳ１に含まれる、タイムスタンプ局５０がサーバ３０からのタイムスタンプ要求を受信したときの受信時刻との間は利用に応じて短時間となる場合もあるし、長時間となる場合もある。即ち、例えば、電子ペン１０による作業又はその日の一連の作業終了時にまとめてタイムスタンプを付与する場合などには、標準時刻Ｔ１及びタイムスタンプトークンＳ１に含まれる時刻との間が、数時間や１日などの長時間となる。
また、標準時刻Ｔ２及びタイムスタンプトークンＳ２に含まれる時刻との間についても同様にして、短時間となる場合もあるし、長時間となる場合もある。
【００７５】
尚、サーバ３０と時刻配信局４０間、及びサーバ３０及びタイムスタンプ局５０間の通信時間については、例えば１秒以内に通信を行うことができるものとし、通信による時間誤差は発生しないものと想定する。
【００７６】
ここで、データＡ１及びデータＢ１にそれぞれ含まれる電子ペン１０の内蔵時計の時刻７３について、その時刻記述方を以下の式を用いて説明する。
Ｔ＝Ｃ＋τ
データＡ１及びデータＢ１にそれぞれ含まれる電子ペン１０の内蔵時計の時刻Ｔは、電子ペン１０の内蔵時計のカウントの内容を示すカウント値Ｃ、及び、電子ペン１０の内蔵時計が計時を開始した時点の時刻情報を示す等価カウント開始時刻τにより記述される。例えば、τは工場出荷時の時点として設定され、Ｃは以後時間と共に累進計時する。そして、τを変更することにより時刻あわせが行われる。電子ペン１０がバッテリなどの電源不良によりその計時機能を停止した場合であっても、τ及びＣの値が不揮発性メモリなどによって保持される。
【００７７】
従って、データＡ１に含まれる電子ペン１０の内蔵時計の時刻ＴＡを２つのパラメタτＡ及びＣＡを用いて記述し、データＢ１に含まれる電子ペン１０の内蔵時計の時刻ＴＢをτＢ及びＣＢを用いて記述した場合に、τＡ及びτＢを比較することで、時刻ＴＡ及びＴＢ間に発生した電子ペン１０の内蔵時計が停止した期間を特定することができる。即ち、τＡ及びτＢが同一である場合には、時刻ＴＡ及びＴＢ間には電子ペン１０の内蔵時計が停止した期間は存在せず、電子ペン１０の内蔵時計の誤差の範囲において、手書き情報が確かにその記入時刻に存在していたことを特定することができる。具体的には、例えば、データＡ１に含まれる手書き情報７１が、データＢ１に含まれる手書き情報７１よりも以前に記入されたことを特定することができる。
一方、τＡ及びτＢが異なる場合には、時刻ＴＡ及びＴＢ間に電子ペン１０の内蔵時計が停止した期間が存在したことになるが、停止期間ΔをτＡ及びτＢの差として算出することができる。このため、停止期間についてΔ補正することにより、電子ペン１０の内蔵時計の誤差の範囲において、手書き情報が確かにその記入時刻に存在していたことを特定することができる。
【００７８】
また、図７に示した上述の例では各データＡ１及びデータＢ１に対してそれぞれタイムスタンプを付与する場合を説明したが、本発明はこれに限定されない。例えば、データＡ１及びデータＢ１をサーバ３０が受信した後、データＡ１及びデータＢ１に対してまとめてタイムスタンプを付与するように構成してもよい。即ち、電子ペン１０の使用状況に応じて、電子ペン１０からサーバ３０への送信タイミング、及びサーバ３０からタイムスタンプ局５０へのタイムスタンプ要求のタイミングを設定すればよい。
このような場合であっても、電子ペン１０の内蔵時計の誤差の範囲において、データＡ１に含まれる手書き情報７１及びデータＢ１に含まれる手書き情報７１の発生時刻を特定することができると共に、その発生順序の特定をすることができる。
【００７９】
このようにして、手書き情報７１が、手書き情報７１に付加された標準時刻において存在していたことを特定することができる。さらには、電子ペン１０による手書き情報７１の記入時刻７３が故意に変更されずにサーバ３０へと送信された場合には、電子ペン１０の内蔵時計の誤差の範囲において、手書き情報７１が確かにその記入時刻に存在していたことを特定することができる。
即ち、サーバ３０は、電子ペン１０により記入された手書き情報７１に付加される時刻の信頼性を向上させることができると共に、時刻が付加された手書き情報７１が、確かにその時点にその内容が存在していたことを客観的に証明することができる。
【００８０】
また、電子ペンシステム１は、電子ペン１０に対して充電を行うと共に、サーバ３０と電子ペン１０との間を通信可能に接続する通信手段を内蔵した充電器１１とをさらに備え、電子ペン１０は、電子ペン１０への充電が終了した時点において、充電器１１又は無線を介して、サーバ３０に内蔵された時計のサーバ時刻を取得して、サーバ時刻を電子ペン１０に内蔵された時計の電子ペン時刻として設定する時刻同期手段をさらに備えるようにしてもよい。
【００８１】
具体的には、例えば電子ペン１０について、電子ペン１０の内蔵時計が動作する最小の動作電圧を、電子ペン１０の内蔵時計以外の回路が動作する最小の動作電圧より低く設定し、充電開始後、バッテリの電圧が、電子ペン１０の内蔵時計が動作する最小の動作電圧に達したときに、充電器１１又は無線を介して、サーバ３０に内蔵された時計のサーバ時刻を取得して、サーバ時刻を電子ペン１０に内蔵された時計の電子ペン時刻として設定するように構成する。
【００８２】
図８に示すように、電子ペン１０のバッテリ１２１の電圧８０について、電子ペン１０の内蔵時計が動作する最小の動作電圧ＶＣＬＫを、電子ペン１０の内蔵時計以外の回路が動作する最小の動作電圧ＶＤＰより低く設定することにより（ＶＤＰ＞ＶＣＬＫ）、電子ペン１０の内蔵時計以外の回路が正常に動作しない電圧状態（時間ｔ１〜ｔ５）においても、電子ペン１０の内蔵時計は正常に動作することができる（時間ｔ１〜ｔ２及び時間ｔ４〜ｔ５）。
従って、充電を開始した後（時間ｔ３以降）、電子ペン１０の内蔵時計が正常に動作する電圧に達したときに（時間ｔ４）、電子ペン１０の時刻同期手段が、充電器１１又は無線を介して、サーバ３０に内蔵された時計のサーバ時刻を取得して、サーバ時刻を電子ペン１０に内蔵された時計の電子ペン時刻として設定するように構成することで、再び電子ペン１０の動作が開始可能となるより前に時刻同期処理を終了させ、電子ペン１０は動作を再び開始することができる。
【００８３】
このようにして、電子ペン１０は、電子ペン１０への充電が終了した時点において、充電器１１又は無線を介して、サーバ３０に内蔵された時計のサーバ時刻を取得して、サーバ時刻を電子ペン１０に内蔵された時計の電子ペン時刻として設定することができ、自動的に時刻補正を行うことができる。
【００８４】
さらにまた、電子ペンシステム１は、電子ペン１０に対して充電を行うと共に、サーバ３０と電子ペン１０との間を通信可能に接続する通信手段を内蔵した充電器１１とをさらに備え、サーバ３０は、電子ペン１０への充電が終了した時点において、充電器１１又は無線を介して、サーバ時刻を電子ペン１０に内蔵された時計の電子ペン時刻として設定する時刻同期手段をさらに備えるようにしてもよい。
【００８５】
これにより、サーバ３０は、電子ペン１０への充電が終了した時点において、充電器１１又は無線を介して、サーバ時刻を電子ペン１０に内蔵された時計の電子ペン時刻として設定することができ、自動的に時刻補正を行うことができる。
【００８６】
また、サーバ３０は、タイムスタンプが付与された手書き情報７１をレイヤとして格納する記憶手段３１３と、記憶手段３１３に格納された複数の前記レイヤを重ねて表示する表示手段３４をさらに備えるようにしてもよい。
【００８７】
例えば、図９（ｂ）に示す手書き情報９２２は、図９（ａ）に示す手書き情報９１２が記入された後に同じページに対して修正・追記された手書き情報９２２であり、これらの手書き情報を記録したファイルが、記憶手段３１３にそれぞれレイヤ９２０及びレイヤ９１０として格納されている。
ここで、図９（ａ）及び（ｂ）に示す手書き情報９１２及び手書き情報９２２に対して、それぞれ時刻Ｔ１及び時刻Ｔ２において取得したタイムスタンプトークン９１１及びタイムスタンプトークン９２１がそれぞれ対応付けられて記憶され、タイプスタンプが施されている。
【００８８】
表示手段３４は、図１０（ａ）に示すように、図９（ａ）及び（ｂ）に示すレイヤ９１０及びレイヤ９２０を重ねることで、図１０（ｂ）に示すように１枚のレイヤ９３０として合成して表示させることができる。
尚、レイヤ９３０において、タイムスタンプトークン９１１及びタイムスタンプトークン９２１は、重ならないように適宜位置が調整され、例えば別々に並んで表示される。
【００８９】
これにより、サーバ３０は、タイムスタンプが付与された手書き情報７１をレイヤとして格納し、格納された複数のレイヤを重ねて表示することができる。このため、例えば、複数のレイヤをまとめて同一の媒体面上に一枚に表示させたり、所望のレイヤの内容だけを必要に応じて切替えて表示させたりすることができる。
従って、同じページに対して修正・追記を複数回実施した場合であっても、修正・追記を実施した各時点におけるタイムスタンプの有効性を失わずに記入された手書き情報７１を取り扱うことができる。
【００９０】
発明の実施の形態２．
次に、本発明の実施の形態２にかかる電子ペンシステムについて説明する。本実施の形態２にかかる電子ペンシステムは、複数の標準時刻７４が付加された手書き情報７１をひとつのファイルとし、ファイルに対してタイムスタンプを要求するものである。
尚、本実施の形態２に係る電子ペンシステムの全体構成と、電子ペン１０、充電器１１、専用用紙２０、サーバ３０、時刻配信局４０、タイムスタンプ局５０、通信ネットワーク６０の構成は、図１乃至図５に示す構成と同様であり、説明を省略する。
【００９１】
本発明の実施の形態２にかかる電子ペンシステムは、サーバ３０のタイムスタンプ要求手段３１２は、複数の標準時刻７４が付加された手書き情報７１をひとつのファイルとし、当該ファイルを一方向性関数を用いて変換したタイムスタンプ要求をタイムスタンプ局５０へ送信し、標準時刻７４が付加された手書き情報７１に対するタイムスタンプを要求するものである。
【００９２】
図１１を用いて、本実施の形態２にかかる電子ペンシステムが、図３において説明した手書き情報７１に対して、その属性情報７２乃至７５及びタイムスタンプを付与する処理プロセスを示す。
【００９３】
データC１（５０１）には、手書き情報７１と、その属性情報として当該手書き情報７１を取得した電子ペン１０のＩＤ７２と、手書き情報７１を取得した時点における電子ペン１０の内蔵時計の時刻７３とが含まれている。
そして、サーバ３０は、データC１を受信したときに、時刻配信局４０から標準時刻Ｔ１（５０２）を取得し、時刻配信局４０から標準時刻Ｔ１（５０２）を取得した時点におけるサーバ３０の内蔵時計の時刻７５とをデータC１に付加してデータC２（５０３）として格納する。
【００９４】
次いで、データD１（５０４）には、手書き情報７１と、その属性情報として手書き情報７１を取得した電子ペン１０のＩＤ７２と、手書き情報７１を取得した時点における電子ペン１０の内蔵時計の時刻７３とが含まれている。
そして、サーバ３０は、データD１を受信したときに、時刻配信局４０から標準時刻Ｔ２（５０５）を取得し、時刻配信局４０から標準時刻Ｔ２（５０５）を取得した時点におけるサーバ３０の内蔵時計の時刻７５とをデータD１に付加してデータD２（５０６）として格納する。
【００９５】
続いて、サーバ３０はデータC２（５０３）及びデータD２（５０６）をまとめて一つのファイルとし、ファイルに対してタイムスタンプトークンＳ（５０８）をタイムスタンプ局５０より取得する。
結果、データＥ（５０９）には、データC２（５０３）及びデータD２（５０６）とあわせて、タイムスタンプトークンＳ（５０８）とが含まれている。
【００９６】
これにより、複数の手書き情報７１に対してまとめて一つのタイムスタンプを要求することができる。
【００９７】
尚、タイムスタンプを取得するタイミングは、所定の間隔、例えば一時間毎、一日毎、一週間毎でもよいし、これに限定されない。
さらに例えば、タイムスタンプ要求の対象となる手書き情報が所望の数以上取得された場合にタイムスタンプを取得するように構成してもよい。
【００９８】
以上の説明は、本発明の実施の形態を説明するものであり、本発明が以上の実施の形態に限定されるものではない。また、当業者であれば、以上の実施の形態の各要素を、本発明の範囲において、容易に変更、追加、変換することが可能である。
【図面の簡単な説明】
【００９９】
【図１】本発明の実施の形態１に係る電子ペンシステムの全体構成を示す概略模式図である。
【図２】本発明の実施の形態１に係る電子ペンシステムの概略構成を示すブロック図である。
【図３】本発明の実施の形態１に係るサーバが格納する情報を示す図である。
【図４】本発明の実施の形態１に係る電子ペンの各構成を示す図である。
【図５】本発明の実施の形態１に係る用紙を示す図である。
【図６】本発明の実施の形態１に係る電子ペンシステムの処理の様子を示すシーケンスチャートである。
【図７】本発明の実施の形態１に係る電子ペンシステムの処理の様子を示すシーケンスチャートである。
【図８】本発明の実施の形態１に係る電子ペンの動作電圧の様子を示す図である。
【図９】本発明の実施の形態１に係るレイヤを示す図である。
【図１０】本発明の実施の形態１に係るレイヤを重ねて表示させる様子を示す図である。
【図１１】本発明の実施の形態２に係る電子ペンシステムの処理の様子を示すシーケンスチャートである。
【符号の説明】
【０１００】
１０  電子ペン
１１１  インクリフィル
１１３  筆圧センサ
１１７  カメラ
１２１  バッテリ
１２３  制御部
１２５  記憶手段
１２７  情報処理モジュール
１２９  クロック
１３１  ＵＳＢ
１３３  通信部
１４１  手書き情報取得手段
１４３  時刻情報取得部
１１  充電器
２０  専用用紙
２１  ピジェット
２２  ピジェット
２３  仮想格子
２４  点
２５  仮想交点
２６  ピジェット
３０  サーバ
３１  アプリケーション部
３１１  標準時刻取得手段
３１２  タイムスタンプ要求手段
３１３  記憶手段
３１４  制御部
３２  通信部
３４  表示手段
４０  時刻配信局
５０  タイムスタンプ局
６０  通信ネットワーク
７１  手書き情報
７２  電子ペンＩＤ
７３  電子ペン時刻
７４  標準時刻
７５  サーバ時刻
７６  タイムスタンプトークン
７６１  ハッシュ値
７６２  受信時刻
８０  電子ペン動作電圧
９１０  レイヤ
９１１  タイムスタンプトークン
９１２  手書き情報
９２０  レイヤ
９２１  タイムスタンプトークン
９２２  手書き情報
９３０  レイヤ
【図１】
2008242988.tif 000003
【図２】
2008242988.tif 000004
【図３】
2008242988.tif 000005
【図４】
2008242988.tif 000006
【図５】
2008242988.tif 000007
【図６】
2008242988.tif 000008
【図７】
2008242988.tif 000009
【図８】
2008242988.tif 000010
【図９】
2008242988.tif 000011
【図１０】
2008242988.tif 000012
【図１１】
2008242988.tif 000013